(57)【要約】【課題】洗濯時に温水洗浄を行った際の、乾燥運転開始時の乾燥性能を向上させる。【解決手段】圧縮機２５と放熱器２３と絞り手段４９と吸熱器２２とを冷媒が循環するように管路２４で連結したヒートポンプ装置５０と、ドラム４に乾燥用空気を導入する風路１９と、風路１９に送風する送風機２１と、圧縮機２５を加熱する加熱手段３０と、加熱された温水による洗濯を設定する温水洗浄設定手段３６ｄと、洗濯運転および乾燥運転を制御する制御手段３５とを備え、制御手段３５は、温水洗浄設定手段３６ｄにより温水洗浄が設定されると、乾燥運転の開始前に加熱手段３０に通電し圧縮機２５を加熱するようにしたものである。【選択図】図１
2014042695.tif 000002
【特許請求の範囲】
【請求項１】
筐体内に弾性支持した水槽と、
前記水槽内に回転可能に設けたドラムと、
圧縮機と放熱器と絞り手段と吸熱器とを冷媒が循環するように管路で連結したヒートポンプ装置と、
前記ドラムに乾燥用空気を導入する風路と、
前記風路に送風する送風機と、
前記圧縮機を加熱する加熱手段と、
加熱された温水による洗濯を設定する温水洗浄設定手段と、
洗濯運転および乾燥運転を制御する制御手段とを備え、
前記制御手段は、前記温水洗浄設定手段により温水洗浄が設定されると、乾燥運転の開始前に前記加熱手段に通電し前記圧縮機を加熱するようにした
洗濯乾燥機。
【請求項２】
制御手段は、洗濯運転において、洗い、すすぎ、脱水の各工程を逐次制御し、
前記洗い工程の中間脱水工程以前に圧縮機を加熱するようにした
請求項１記載の洗濯乾燥機。
【請求項３】
制御手段は、洗濯運転において、洗い、すすぎ、脱水の各工程を逐次制御し、
前記すすぎ工程に続いて実行する脱水工程以前に圧縮機を加熱するようにした
請求項１記載の洗濯乾燥機。
【請求項４】
制御手段は、洗い工程又はすすぎ工程又はその両方の工程で温水洗浄の設定を可能にした請求項１〜３のいずれか１項に記載の洗濯乾燥機。
【請求項５】
洗濯水を加熱する加熱手段を設け、
制御手段は、温水洗浄が設定されると、前記加熱手段に通電し水槽内の洗濯水を所定の温度に加熱するようにした
請求項１〜４のいずれか１項に記載の洗濯乾燥機。
【請求項６】
加熱された水を給水する給湯手段を接続可能に設け、
制御手段は、温水洗浄が設定されると、前記給湯手段により所定の温度に加熱された洗濯水を水槽に給水するようにした
請求項１〜４のいずれか１項に記載の洗濯乾燥機。
【請求項７】
風呂水を給水する給水手段を設け、
制御手段は、温水洗浄が設定されると、前記給水手段を駆動し風呂水を水槽に給水するようにした
請求項１〜４のいずれか１項に記載の洗濯乾燥機。
【発明の詳細な説明】
【技術分野】
【０００１】
本発明は、衣類等の洗濯と乾燥が行える洗濯乾燥機に関するものである。
【背景技術】
【０００２】
従来、この種の洗濯乾燥機は、洗い終わった洗濯物を同一槽内で続けて乾燥させることができる。衣類の乾燥にはヒートポンプ装置が用いられている（例えば、特許文献１参照）。
【０００３】
図１２は、特許文献１に記載された従来の洗濯乾燥機のシステム系統図である。図１２に示すように、圧縮機５１、放熱器５２、絞り手段５３および吸熱器５４を冷媒が循環するように管路５５で連結し、ヒートポンプ装置５６を構成している。乾燥用空気が流れる風路５７は、乾燥用空気を加熱する放熱器５２と、乾燥させる衣類イ等の乾燥対象を入れるドラム５８と、乾燥用空気を冷却し除湿する吸熱器５４を乾燥用空気が循環するように設けられ、送風機５９によって風路５７に乾燥用空気を送風する。矢印Ａは風路５７を流れる乾燥用空気の流れ方向を示し、矢印Ｂは管路５５を流れる冷媒の流れ方向を示している。
【０００４】
乾燥用空気は、放熱器５２で加熱され、温風となってドラム５８内に導入される。ドラム５８内で衣類イと接触した乾燥用空気は、衣類イから水分を奪って衣類を乾燥させる。乾燥用空気は、蒸発のための熱量として顕熱が与えられるため温度が低下するが、衣類イから放出されたほぼ同等の潜熱を有する水蒸気を含んで高湿となる。衣類イと接触する前後の乾燥用空気のエンタルピはほぼ一定である。高湿となった乾燥用空気は、吸熱器５４で冷却され、潜熱を奪われ結露して除湿される。除湿されて絶対温度が低下した乾燥用空気は、再び放熱器５２で加熱される。
【０００５】
一方、ヒートポンプサイクルは、圧縮機５１で圧縮されて気化した高温高圧のガス冷媒が、放熱器５２で乾燥用空気に熱を奪われて凝縮し液化する。放熱器５２を出た高圧の液冷媒は、絞り手段５３で減圧され、低温低圧の液冷媒となって吸熱器５４に入り、乾燥用空気から熱を奪って気化し、ガス冷媒となって圧縮機５１に戻る。
【０００６】
ヒートポンプ装置５６は、停止時に冷媒が圧縮機５１内部の潤滑油に溶け込む「寝込み現象」により、乾燥運転開始時の乾燥性能が低下することが知られている。そこで、乾燥運転を開始する前に圧縮機を加熱し、圧縮機内部の潤滑油の温度を上昇させて、潤滑油に溶け込んだ冷媒を潤滑油から出すようにすることが考えられている（例えば、特許文献２参照）。
【先行技術文献】
【特許文献】
【０００７】
【特許文献１】特開２００５―５２５３３号公報
【特許文献２】特開２００７―６１２６４号公報
【発明の概要】
【発明が解決しようとする課題】
【０００８】
しかしながら、前記従来の構成では、圧縮機吐出部の冷媒温度が常温より高ければ、圧縮機が加熱されず、ヒートポンプサイクル内の冷媒量が不足し、乾燥運転開始時の乾燥性能が低下することから、迅速に立ち上げるべく圧縮機の圧縮能力を高める高速回転動作によって、消費電力量が増加するという課題があった。
【０００９】
また、洗濯時の洗浄効果を高めるために、洗濯水を加熱し温水で洗濯することが知られている。洗濯時に温水洗浄が設定された場合、所定の温度（例えば、４０〜５０℃）に加熱された洗濯水でドラムおよび水槽内の温度が上昇する。洗濯乾燥機では、乾燥運転前に加熱された温水による洗い工程に続いて、洗い工程で使用した洗濯水の排水後に、衣類等の洗濯物に含まれる汚れや洗剤等を絞り出すための中間脱水工程が実行され、ドラムを高速（例えば、９００ｒｐｍ）で回転させる。
【００１０】
ドラムが高速で回転すると、水槽内で風が発生する。乾燥運転時に乾燥用空気を水槽内へ送風する風路が水槽と連通するように接続されており、この風路に加熱された風が流れて、風路に配設されている吸熱器や放熱器が加熱される。
【００１１】
洗濯運転時は、ヒートポンプ装置が停止しており、圧縮機の外部で管路内に滞留するヒートポンプサイクル内の冷媒は、吸熱器や放熱器で加熱されて圧力が上昇し、常温の圧縮機に流入する。
【００１２】
したがって、圧縮機の停止時に、圧縮機内の冷媒が潤滑油に溶け込むのに加えて、温水洗浄を行うことによって乾燥運転前の停止中の圧縮機に冷媒が流入し、乾燥運転の開始時にヒートポンプサイクル内の冷媒量が不足して、乾燥運転の開始時に良好な乾燥性能が得られないという課題があった。
【００１３】
本発明は、前記従来の課題を解決するもので、洗濯時に温水洗浄を行った際の、乾燥運転開始時の乾燥性能を向上させた洗濯乾燥機を提供することを目的とする。
【課題を解決するための手段】
【００１４】
前記従来の課題を解決するために、本発明の洗濯乾燥機は、圧縮機と放熱器と絞り手段と吸熱器とを冷媒が循環するように管路で連結したヒートポンプ装置と、ドラムに乾燥用空気を導入する風路と、前記風路に送風する送風機と、前記圧縮機を加熱する加熱手段と、加熱された温水による洗濯を設定する温水洗浄設定手段と、洗濯運転および乾燥運転を制御する制御手段とを備え、前記制御手段は、前記温水洗浄設定手段により温水洗浄が設定されると、乾燥運転の開始前に前記加熱手段に通電し前記圧縮機を加熱するようにしたものである。
【００１５】
これによって、洗濯時に温水で洗浄を行った場合でも、ヒートポンプサイクル内の冷媒を保持することができ、ヒートポンプサイクルを迅速に最適な状態に立ち上げて、乾燥運転開始時の乾燥性能を向上させることができる。
【発明の効果】
【００１６】
本発明の洗濯乾燥機は、洗濯時に温水洗浄を行った際の、乾燥運転開始時の乾燥性能を向上させることができる。
【図面の簡単な説明】
【００１７】
【図１】本発明の実施の形態１における洗濯乾燥機の一部切欠構成図
【図２】同洗濯乾燥機のシステム系統図
【図３】同洗濯乾燥機のヒートポンプ装置の構成図
【図４】同洗濯乾燥機のヒートポンプ装置の圧縮機の要部断面図
【図５】同洗濯乾燥機のブロック構成図
【図６】同洗濯乾燥機の動作を示すタイムチャート
【図７】本発明の実施の形態２における洗濯乾燥機の動作を示すタイムチャート
【図８】本発明の実施の形態３における洗濯乾燥機の動作を示すタイムチャート
【図９】本発明の実施の形態４における洗濯乾燥機の一部切欠要部構成図
【図１０】本発明の実施の形態５における洗濯乾燥機の動作を示すタイムチャート
【図１１】本発明の実施の形態６における洗濯乾燥機の一部切欠要部構成図
【図１２】従来の洗濯乾燥機のシステム系統図
【発明を実施するための形態】
【００１８】
本発明の洗濯乾燥機は、筐体内に弾性支持した水槽と、前記水槽内に回転可能に設けたドラムと、圧縮機と放熱器と絞り手段と吸熱器とを冷媒が循環するように管路で連結したヒートポンプ装置と、前記ドラムに乾燥用空気を導入する風路と、前記風路に送風する送風機と、前記圧縮機を加熱する加熱手段と、加熱された温水による洗濯を設定する温水洗浄設定手段と、洗濯運転および乾燥運転を制御する制御手段とを備える。前記制御手段は、前記温水洗浄設定手段により温水洗浄が設定されると、乾燥運転の開始前に前記加熱手段に通電し前記圧縮機を加熱するようにしたものである。
【００１９】
これにより、洗濯時に温水で洗浄を行った場合でも、冷媒をヒートポンプサイクル内に適正に保持することができ、ヒートポンプサイクルを迅速に最適な状態に立ち上げて、乾燥運転開始時の乾燥性能を向上させることができる。
【００２０】
すなわち、加熱された洗濯水による洗い工程で水槽内の温度が上昇し、洗い工程に続いて実行される中間脱水工程でのドラムの高速回転により、水槽内の加熱された空気が風路を流れ、風路に配設されている吸熱器および放熱器が加熱され、冷媒の圧力が上昇する。しかしながら、乾燥運転前に圧縮機が加熱されているため、中間脱水工程で冷媒が圧縮機に流入した場合でも、乾燥運転が開始されるまでにヒートポンプサイクル内に戻すことができ、乾燥運転の開始時に、ヒートポンプサイクル内の冷媒を保持し、乾燥運転開始時の乾燥性能を向上させることができる。
【００２１】
また、本発明の制御手段は、洗濯運転において、洗い、すすぎ、脱水の各工程を逐次制御し、前記洗い工程の中間脱水工程以前に圧縮機を加熱するようにしてもよい。
【００２２】
これにより、洗濯時に温水で洗浄を行った場合でも、中間脱水工程以前に圧縮機が加熱されているため、ヒートポンプサイクル内の冷媒が圧縮機に流入するのを防止することができ、乾燥運転の開始時に、ヒートポンプサイクル内の冷媒を保持し、乾燥運転開始時の乾燥性能を向上させることができる。
【００２３】
また、本発明の制御手段は、洗濯運転において、洗い、すすぎ、脱水の各工程を逐次制御し、前記すすぎ工程に続いて実行する脱水工程以前に圧縮機を加熱するようにしてもよい。
【００２４】
これにより、洗濯時に温水で洗浄を行った場合でも、脱水工程以前に圧縮機が加熱されているため、中間脱水工程で圧縮機に流入した冷媒を乾燥運転が開始されるまでにヒートポンプサイクル内に戻すことができるとともに、脱水工程で冷媒が圧縮機に流入するのを防止することができ、乾燥運転の開始時に、ヒートポンプサイクル内の冷媒を保持し、乾燥運転開始時の乾燥性能を向上させることができる。
【００２５】
また、本発明の制御手段は、洗い工程又はすすぎ工程又はその両方の工程で温水洗浄の設定を可能にしてもよい。
【００２６】
これにより、温水による洗いで、洗浄効果が高められるのに加えて、温水によるすすぎで、水槽およびドラム等を加熱した状態で乾燥工程へ移行することができ、ヒートポンプ装置による乾燥運転開始時のエネルギロスが少なく、ヒートポンプサイクルを迅速に最適
な状態に立ち上げて、乾燥運転開始時の乾燥性能を向上させることができる。
【００２７】
また、本発明の洗濯乾燥機は、洗濯水を加熱する加熱手段を設け、制御手段は、温水洗浄が設定されると、前記加熱手段に通電し水槽内の洗濯水を所定の温度に加熱するようにしたことにより、給水された所定量の洗濯水を水槽内で効率よく、かつ、効果的に加熱することができる。
【００２８】
また、本発明の洗濯乾燥機は、加熱された水を給水する給湯手段を接続可能に設け、制御手段は、温水洗浄が設定されると、前記給湯手段により所定の温度に加熱された洗濯水を水槽に給水するようにしてもよい。
【００２９】
これにより、所定量の洗濯水の給水が完了すると洗濯を開始することができ、給湯機等で効率よく加熱された温水で迅速に洗濯することができる。
【００３０】
また、本発明の洗濯乾燥機は、風呂水を給水する給水手段を設け、制御手段は、温水洗浄が設定されると、前記給水手段を駆動し風呂水を水槽に給水するようにしてもよい。
【００３１】
これにより、風呂の残り水を有効に利用することができるとともに、余熱を有した風呂水を少ないエネルギで所定の温度に加熱することができる。
【００３２】
以下、本発明の実施の形態について、図面を参照しながら説明する。なお、この実施の形態によって本発明が限定されるものではない。
【００３３】
（実施の形態１）
図１は、本発明の第１の実施の形態における洗濯乾燥機の一部切欠構成図、図２は、同システム系統図、図３は、同ヒートポンプ装置の構成図、図４は、同ヒートポンプ装置の圧縮機の要部断面図、図５は、ブロック構成図、図６は、同洗濯乾燥機の動作を示すタイムチャートである。
【００３４】
図１〜図６において、水槽１は、筐体２内に複数のサスペンション機構３により弾性的に支持されている。ドラム４は、正面側に衣類イ等の洗濯物を出し入れする投入口（図示せず）を有し、有底筒状に構成して水槽１内に配設されている。ドラム４は、回転軸４ａを中心として回転可能に設けられ、衣類イ等の洗濯物を収容する。
【００３５】
ドラム４の周側壁には、全周に亘って多数の孔５を設け、ドラム４の周側壁の内方の複数個所に、洗濯物をドラム４の回転方向へ持ち上げるためのバッフル６を備えている。水槽１とドラム４と回転軸４ａは、水平に対して角度θ（例えば、１０〜２０°）で前上がりに傾けて設けられている。
【００３６】
水槽１の後面側の外部には、ドラム４を回転駆動するモータ７が設けてあり、ドラム４を正逆回転させるようになっている。モータ７は、ブラシレス直流モータ等で構成され、インバータ制御によって回転速度が自在に変化できるようにしている。
【００３７】
筐体２の前面には、投入口を開閉する扉８が設けられている。ドラム４の投入口と対向する水槽１の前面開口部（図示せず）は、伸縮自在な可撓性のパッキン９によって筐体２とシール結合されている。扉８は、外からドラム４の内部が見えるように透明の窓が設けられている。
【００３８】
扉８を閉じると、水槽１の前面開口部に設けられたパッキン９が扉８の内面と接触し、水槽１内は水密、気密空間となり、洗濯、すすぎ、脱水、乾燥の各工程を実行する際に、
水や空気が外部に漏れないようにしている。
【００３９】
筐体２内には、水槽１内への水道水の給水を制御する給水弁１０が設けられている。給水弁１０には、洗剤ケース（図示せず）を介して水槽１に連通する給水経路１１が接続されている。給水経路１１は水道管に接続してあり、給水弁１０を開閉することにより、水槽１内への水道水の給水と停止を行うことができる。
【００４０】
また、水槽１の後部下方には、水槽１内の洗濯水を排水する排水弁１２が設けられている。排水弁１２を開閉することにより、排水経路１３を通して水槽１内の洗濯水の排水と停止を行うことができる。
【００４１】
水槽１内の底部の後方に、洗濯水を加熱する洗濯水加熱ヒータ（加熱手段）１４を設けている。洗濯水加熱ヒータ１４は、シーズヒータを略Ｕ字状に折り曲げて形成され、回転軸４ａが延びている方向へ水槽１の底面に沿うように取り付けられている。
【００４２】
洗濯水加熱ヒータ１４と水槽１の底面との間に空間が設けてあり、水槽１内に洗濯水が溜められると、その水面下に位置し、洗濯水に浸かって洗濯水を加熱する。洗濯水加熱ヒータ１４で加熱される洗濯水の温度は、水槽１内の底部に取り付けたサーミスタ等で構成している水温検知手段１５で検知する。
【００４３】
水槽１内に溜められる洗濯水の水量は、水位検知手段１６で検知する。水位検知手段１６は、内部にダイアフラムを有し、圧力が加わることで変形するダイアフラムの変形量から圧力を検知する圧力センサ等で構成し、水槽１に給水された洗濯水の水位を検知する。
【００４４】
水槽１の上方前部の周側壁に排気口１７を設け、水槽１の背面部に送風口１８を設けている。排気口１７と送風口１８は、水槽１の外部上方の前面側から後面側に向かって延びている風路１９で連通接続している。
【００４５】
風路１９には、乾燥用空気とともに風路１９を通過するリントを捕捉するフィルタ２０と、乾燥用空気を水槽１を介してドラム４内に送風する送風機２１と、風路１９を流れる乾燥用空気を冷却除湿する吸熱器２２と、吸熱器２２で除湿した乾燥用空気を加熱する放熱器２３を設けている。
【００４６】
吸熱器２２および放熱器２３は、冷媒が流れる管路２４により圧縮機２５と連結されている。ヒートポンプ装置５０は、冷媒（例えば、Ｒ１３４ａ）を圧縮する圧縮機２５と、圧縮された高温高圧の冷媒の熱を放熱する放熱器２３と、高圧の冷媒の圧力を減圧するためのキャピラリーチューブまたは膨張弁等からなる絞り手段４９と、減圧されて低圧となった冷媒が周囲から熱を奪う吸熱器２２を冷媒が循環するように管路２４で連結している。
【００４７】
吸熱器２２および放熱器２３は、フィンチューブ熱交換器で構成されている。吸熱器２２と放熱器２３は、各々の端部をエンドプレート２３ａで連結してあり、吸熱器２２と放熱器２３の間に空間２３ｂを設けている。
【００４８】
冷媒が流れる管路２４は、例えば銅管で形成され、乾燥風の流路を形成するために所定間隔で平行に並べられた複数のフィンに管路２４を貫通させて構成している。フィンは、例えば打ち抜き加工された厚み０．０８〜０．２ｍｍのアルミニウム製の平板で形成され、フィンピッチは、例えば約１．２ｍｍとなるように構成している。
【００４９】
圧縮機２５は、縦型円筒状のケーシング２６内に、冷媒を圧縮する圧縮機構２７と、圧
縮機構２７を駆動する圧縮機モータ２８を内蔵している。圧縮機モータ２８は、直流モータで構成し、回転速度を自在に変化させることができるようにしてあり、ケーシング２６の内面に固定したステータ２８ａと、ステータ２８ａの内側に回転自在に設けたロータ２８ｂを有し、ロータ２８ｂの回転中心に上下方向に延びるクランク軸２８ｃが取り付けられている。
【００５０】
圧縮機構２７は、ロータリ型であり、圧縮機モータ２８の下方に設けられ、クランク軸２８ｃを介して圧縮機モータ２８と連結している。クランク軸２８ｃに偏心固定したピストン２７ａがシリンダ２７ｂ内で偏心回転し、管路２４の吸入口２４ａから吸入する冷媒を圧縮する。
【００５１】
圧縮機２５は、圧縮機モータ２８により駆動され、冷媒は、圧縮機構２７で加圧されて高温高圧のガス冷媒となり、管路２４の吐出口２４ｂから吐出して放熱器２３へと送られる。
【００５２】
放熱器２３では、送風機２１によって風路１９に送風される乾燥用空気により冷却されて凝縮し、低温高圧の液冷媒になる。この液冷媒は絞り手段４９で減圧され、吸熱器２２へ送られる。吸熱器２２では、ドラム４内で衣類イ等の洗濯物と接触し、湿った高温の空気により加熱されて蒸発し、低温低圧のガス冷媒となって再び圧縮機２５に吸入されて加圧される。
【００５３】
ケーシング２６の底部に潤滑油２９が溜められている。圧縮機２５の下部には、圧縮機２５を加熱するクランクケースヒータ（加熱手段）３０が設けられている。クランクケースヒータ３０は、圧縮機２５のケーシング２６を取り巻くように取り付けている。なお、クランクケースヒータ３０は、圧縮機２５の温度を迅速に上昇させるために、圧縮機２５の上部から下部にかけて加熱するように取り付けてもよい。
【００５４】
矢印Ａは、風路１９を流れる乾燥用空気の流れ方向を示し、矢印Ｂは、管路２４を流れる冷媒の流れ方向を示している。
【００５５】
圧縮機２５のケーシング２６の外周部に圧縮機温度検知手段３１を設けている。圧縮機温度検知手段３１は、サーミスタ等で構成し、圧縮機２５の温度を検知する。圧縮機２５と放熱器２３の間の管路２４に、冷媒温度検知手段３２を設けている。冷媒温度検知手段３２は、サーミスタ等で構成し、圧縮機２５から吐出した冷媒の温度を検知する。
【００５６】
風路１９を流れる乾燥用空気の温度を検知する第１温度検知手段３３および第２温度検知手段３４を設けている。第１温度検知手段３３は、サーミスタ等で構成し、送風口１８からドラム４内へ流入する乾燥風の温度を検知する。第２温度検知手段３４は、サーミスタ等で構成し、排気口１７からドラム４外へ流出する乾燥風の温度を検知する。第１温度検知手段３３および第２温度検知手段３４の出力から、ドラム４内の衣類イ等の洗濯物の乾燥状態を検知する。
【００５７】
洗濯運転および乾燥運転を制御する制御手段３５は、筐体２内の前面上部に設けられており、操作表示部３６が筐体２の前面に取り付けられている。操作表示部３６には、運転の手動操作を行う操作部３６ａと、設定内容および運転状況等を表示する表示部３６ｂが設けられている。
【００５８】
操作部３６ａには、電源スイッチ３６ｃのほか、加熱された洗濯水で洗う温水洗浄ボタン（温水洗浄設定手段）３６ｄと、その他の各種設定用ボタン（図示せず）等が設けられている。この操作部３６ａにより、洗濯、乾燥等の運転コースを任意に選択し、運転内容
を設定することができる。
【００５９】
以上のように構成された洗濯乾燥機について、以下その動作、作用を説明する。洗濯運転は、洗い工程、中間脱水工程、すすぎ工程、脱水工程の順に実行され、脱水工程に続いて乾燥運転を実行することができる。
【００６０】
洗濯を行うときは、扉８を開いてドラム４内に衣類イ等の洗濯物を投入し、筐体２の前面上部に設けられた操作表示部３６の電源スイッチ３６ｃを入れ、各種設定用ボタンにより運転コースの選択や、必要に応じて各工程の時間等を入力し、運転を開始することにより、設定内容に基づいて、制御手段３５により洗濯から乾燥までを一連の動作として実行することができる。
【００６１】
まず、洗い工程は、ドラム４内に投入された衣類イ等の洗濯物の量を布量検知手段３７で検知する。布量検知手段３７は、ドラム４を回転させたときのモータ７の電流値等から検知することができる。布量検知手段３７で検知した洗濯物の量に応じて予め設定された量の水が給水される。水槽１内の水量を水位検知手段１６で検知し、設定量の水が給水されると給水弁１０を閉じる。
【００６２】
給水経路１１を通して水槽１内に水および洗剤が供給されると、モータ７によりドラム４を回転駆動し、撹拌動作による洗濯を開始する。ドラム４を所定の速度（例えば、５０ｒｐｍ）で回転させると、衣類イ等の洗濯物は、ドラム４の内周面に設けられたバッフル６によってドラム４の回転方向へ持ち上げられ、ドラム４内の上方から落下させることにより、叩き洗いによる洗濯を所定時間行う。
【００６３】
撹拌工程の後、排水弁１２を開いて水槽１内の洗濯水を排水し、ドラム４を高速（例えば、９００ｒｐｍ）で回転させて、衣類イ等の洗濯物に含まれる汚れや洗剤などを、水とともに脱水する中間脱水工程を行う。次に、給水弁１０を開いて水槽１内に設定量の新たな水を給水し、ドラム４を所定の速度（例えば、５０ｒｐｍ）で回転させて、すすぎ工程を所定時間行う。
【００６４】
すすぎ工程を所定回数行った後、水槽１内の洗濯水を排水し、ドラム４を高速回転（例えば、１５００ｒｐｍ）させて、洗濯物に含まれる水分や、残留する洗剤分を脱水する脱水工程を最後に行い、洗濯を終了する。
【００６５】
洗濯運転に続けて乾燥運転を行うときは、脱水工程の終了後に乾燥工程に移行する。乾燥工程は、ドラム４を所定の速度（例えば、５０ｒｐｍ）で回転させ、洗濯物をドラム４内で撹拌するとともに、送風機２１およびヒートポンプ装置５０を作動させ、ドラム４内への乾燥用空気の送風循環と、圧縮機２５による冷媒の圧縮が開始される。
【００６６】
ヒートポンプ装置５０は、圧縮機２５の圧縮機モータ２８が駆動し、圧縮機構２７により冷媒が圧縮され、この圧力により冷媒は圧縮機２５から吐出する。圧縮機２５から吐出した冷媒は、管路２４を流れて放熱器２３、絞り手段４９、吸熱器２２、圧縮機２５を循環する。圧縮された冷媒の熱は放熱器２３に流入することにより、放熱器２３内に配設された管路２４に設けられたフィンに接する空気に放熱されるので、風路１９を流れる乾燥用空気が加熱される。
【００６７】
加熱された乾燥用空気は、送風口１８からドラム４内へ供給され、洗濯物から水分を奪って湿った空気となり、排気口１７から風路１９へ排出される。洗濯物の乾燥の進行にともなって、洗濯物から糸屑などのリントが発生する。排気口１７から排出された乾燥用空気はフィルタ２０を通過し、空気中に含まれているリントが捕捉される。
【００６８】
フィルタ２０でリントが除去された乾燥用空気は、絞り手段４９により減圧されて低圧となった冷媒が流れる吸熱器２２を通過する際に、顕熱と潜熱が奪われて除湿される。除湿されることにより生じた結露水は貯水部（図示せず）に滴下し、除湿されて乾いた乾燥用空気は、放熱器２３を通過して加熱される。除湿された結露水は、排水弁１２を通って機外へ排水される。
【００６９】
乾燥工程では、第１温度検知手段３３と第２温度検知手段３４とで、風路１９を流れる乾燥用空気の温度を検知する。ドラム４に流入する乾燥風の温度を第１温度検知手段３３で検知し、ドラム４から流出した乾燥風の温度を第２温度検知手段３４で検知する。これらの出力から、ドラム４内の洗濯物の乾燥度を検知し、所定の乾燥度を検知すると乾燥工程を終了する。
【００７０】
一方、ヒートポンプ装置５０は、圧縮機２５で圧縮されて気化した高温高圧のガス冷媒の熱が、放熱器２３を通過する乾燥用空気に奪われて凝縮し、絞り手段４９で減圧されて低温低圧の液冷媒となり、吸熱器２２で乾燥用空気から熱を奪って気化し、低温低圧のガス冷媒となって再び圧縮機２５に戻る。
【００７１】
圧縮機２５から吐出される冷媒の温度は、冷媒温度検知手段３２で検知され、冷媒の温度が所定の温度範囲（例えば、９０〜８５℃）内に維持されるように、圧縮機モータ２８の駆動を制御し、圧縮機２５の動作を安定させるとともに、安全で安定したヒートポンプサイクルを実現する。
【００７２】
次に、洗濯を温水で行い、続けて乾燥を行う場合について説明する。洗濯の開始時に、操作表示部３６の操作部３６ａで「洗濯乾燥コース」を選択し、操作部３６ａの温水洗浄ボタン３６ｄにより「温水洗浄」を選択し、洗濯水の温度（例えば、４０℃）を設定する。温水による洗濯は、汚れが落ちやすく洗浄力を高めることができ、水温が低いときの洗濯に有利である。
【００７３】
ドラム４に投入された洗濯物の量を布量検知手段３７で検知し、洗濯物の量に応じて設定された量の洗濯水が水槽１内に給水されると、水温検知手段１５で水槽１内に溜められた洗濯水の温度を検知する。制御手段３５は、設定された洗濯水の温度と、水温検知手段１５で検知した温度を比較して洗濯水加熱ヒータ１４の通電を制御し、洗濯水を設定温度に加熱する。
【００７４】
図６に示すように、洗濯水を加熱する洗濯水加熱ヒータ１４は、洗い工程において、水槽１内に洗濯水が給水され、洗濯水加熱ヒータ１４が洗濯水に水没すると通電を開始し、設定された温度に洗濯水を加熱する。一方、圧縮機２５の温度を圧縮機温度検知手段３１で検知し、圧縮機２５が洗濯水の設定温度になるようクランクケースヒータ３０の通電を制御し、圧縮機２５を加熱する。
【００７５】
加熱された洗濯水による洗い工程で水槽１内の温度が上昇した状態で、中間脱水工程が実行されると、ドラム４の高速回転で水槽１内の加熱された空気が風路１９を流れ、風路１９に配設されている吸熱器２２および放熱器２３が加熱される。ヒートポンプサイクル内の吸熱器２２および放熱器２３が加熱されると、冷媒の圧力が上昇し、冷媒が圧縮機２５に流入する。
【００７６】
クランクケースヒータ３０は、乾燥運転の開始前、すなわち、乾燥工程で圧縮機２５を駆動する前の、すすぎ工程の排水工程から脱水工程で通電し、圧縮機２５の温度を圧縮機温度検知手段３１により検知して、圧縮機２５を洗濯水の設定温度まで加熱する。
【００７７】
これにより、加熱された洗濯水の熱で風路１９内の温度が上昇し、中間脱水工程で吸熱器２２および放熱器２３が加熱されて、ヒートポンプサイクル内の冷媒が圧縮機２５に流入した場合でも、圧縮機２５が乾燥運転の開始前に加熱されているため、圧縮機２５内に滞留した冷媒をヒートポンプサイクル内に戻すことができ、ヒートポンプサイクル内に冷媒を保持して、乾燥運転開始時の乾燥性能を向上させることができる。
【００７８】
以上のように、本実施の形態においては、筐体２内に弾性支持した水槽１と、水槽１内に回転可能に設けたドラム４と、圧縮機２５と放熱器２３と絞り手段４９と吸熱器２２とを冷媒が循環するように管路２４で連結したヒートポンプ装置５０と、ドラム４に乾燥用空気を導入する風路１９と、風路１９に送風する送風機２１と、圧縮機２５を加熱する加熱手段３０と、加熱された温水による洗濯を設定する温水洗浄設定手段としての温水洗浄ボタン３６ｄと、洗濯運転および乾燥運転を制御する制御手段３５とを備える。制御手段３５は、温水洗浄設定手段３６ｄにより温水洗浄が設定されると、乾燥運転の開始前に加熱手段３０に通電し圧縮機２５を加熱するようにしたものであり、温水で洗濯を行った場合でも、乾燥運転の開始時にヒートポンプサイクル内の冷媒を保持することができ、ヒートポンプサイクルを迅速に最適な状態に立ち上げて、乾燥運転開始時の乾燥性能を向上させることができる。
【００７９】
なお、温水洗浄時の洗濯水の温度は、洗濯物の種類や性質、および目的に応じて、最適な温度に設定することができる。
【００８０】
また、圧縮機２５を加熱する温度は、温水洗浄時の洗濯水の設定温度と必ずしも同じにする必要はなく、ヒートポンプサイクル内の冷媒の圧力がバランスし、保持されるように加熱されればよい。
【００８１】
（実施の形態２）
図７は、本発明の第２の実施の形態における洗濯乾燥機の動作を示すタイムチャートである。本実施の形態の特徴は、洗い工程後に実行する中間脱水工程以前に圧縮機２５を加熱するようにしたものである。他の構成は実施の形態１と同じであり、同一の構成に同一の符号を付して、詳細な説明は実施の形態１のものを援用する。
【００８２】
洗濯の開始時に、操作表示部３６の操作部３６ａで「洗濯乾燥コース」を選択し、操作部３６ａの温水洗浄ボタン３６ｄにより「温水洗浄」を選択し、洗濯水の温度（例えば、４０℃）を設定する。
【００８３】
図７に示すように、洗濯水を加熱する洗濯水加熱ヒータ１４は、洗い工程において、水槽１内に洗濯水が給水され、洗濯水加熱ヒータ１４が洗濯水に水没すると通電を開始し、設定された温度に洗濯水を加熱する。クランクケースヒータ３０は、中間脱水工程以前、すなわち、洗い工程の撹拌工程から排水工程の間で通電し、圧縮機２５を洗濯水の設定温度まで加熱する。
【００８４】
中間脱水工程は、ドラム４を回転させて脱水を行うため、ドラム４の回転に伴い、乾燥用空気を導入する風路１９に気流が生じる。温水洗浄で加熱された気流が風路１９を流れて吸熱器２２や放熱器２３を加熱した場合でも、中間脱水工程以前に圧縮機２５が加熱されているため、ヒートポンプサイクル内、特に、吸熱器２２や放熱器２３内の冷媒が圧縮機２５内に流入することがなく、ヒートポンプサイクル内の冷媒を保持し、乾燥運転開始時の乾燥性能を向上させることができる。
【００８５】
圧縮機２５は、ケーシング２６内に圧縮機構２７と圧縮機モータ２８を内蔵した密閉容
器であり、冷めにくく、加熱された圧縮機２５は、乾燥運転の開始時まで所定の温度に維持することができる。
【００８６】
以上のように、中間脱水工程前に圧縮機２５を加熱し、ヒートポンプサイクル内の冷媒が圧縮機２５に流入するのを防止することができるため、冷媒を再加熱する必要がなく、クランクケースヒータ３０への入力は圧縮機２５を加熱する分だけでよく、消費電力量を低減することができる。
【００８７】
（実施の形態３）
図８は、本発明の第３の実施の形態における洗濯乾燥機の動作を示すタイムチャートである。本実施の形態の特徴は、すすぎ工程に続いて実行する脱水工程以前に圧縮機２５を加熱するようにしたものである。他の構成は実施の形態１と同じであり、同一の構成に同一の符号を付して、詳細な説明は実施の形態１のものを援用する。
【００８８】
洗濯の開始時に、操作表示部３６の操作部３６ａで「洗濯乾燥コース」を選択し、操作部３６ａの温水洗浄ボタン３６ｄにより「温水洗浄」を選択し、洗濯水の温度（例えば、４０℃）を設定する。
【００８９】
図８に示すように、洗濯水を加熱する洗濯水加熱ヒータ１４は、洗い工程において、水槽１内に洗濯水が給水され、洗濯水加熱ヒータ１４が洗濯水に水没すると通電を開始し、設定された温度に洗濯水を加熱する。クランクケースヒータ３０は、すすぎ工程に続いて実行する脱水工程以前、すなわち、すすぎ工程の撹拌工程から排水工程の間に通電し、圧縮機２５を洗濯水の設定温度まで加熱する。
【００９０】
したがって、中間脱水工程で、温水洗浄で加熱された気流が風路１９を流れて吸熱器２２や放熱器２３を加熱した場合でも、すすぎ工程に続いて実行する脱水工程以前に圧縮機２５が加熱されているため、中間脱水工程で圧縮機２５に流入した冷媒を、乾燥運転の開始前にヒートポンプサイクル内に戻すことができる。
【００９１】
また、圧縮機２５が乾燥運転の開始前に加熱されているため、すすぎ工程に続いて実行する脱水工程で、ヒートポンプサイクル内の冷媒が圧縮機２５に流入することがなく、ヒートポンプサイクル内の冷媒を保持し、乾燥運転開始時の乾燥性能を向上させることができる。
【００９２】
（実施の形態４）
図９は、本発明の第４の実施の形態における洗濯乾燥機の一部切欠要部構成図である。本実施の形態の特徴は、加熱された水を給水する給湯機３９を接続可能に設けたものである。他の構成は実施の形態１と同じであり、同一の構成に同一の符号を付して、詳細な説明は実施の形態１のものを援用する。
【００９３】
洗濯の開始時に、操作表示部３６の操作部３６ａで「洗濯乾燥コース」を選択し、操作部３６ａの温水洗浄ボタン３６ｄにより「温水洗浄」を選択し、給湯ボタン（図示せず）により「給湯」を選択し、洗濯水の温度（例えば、４０℃）を設定する。
【００９４】
図９に示すように、水道と接続されている給水経路１１に給湯機接続部３８を設け、給湯機（給湯手段）３９を接続可能に構成するとともに、給湯機３９からの給湯と停止を行う給湯弁４０を設けている。制御手段３５は、「温水洗浄」および「給湯」が設定されると、給湯機３９から所定の温度に加熱された洗濯水を水槽１に給水するようにしている。
【００９５】
洗い工程において、給水弁１０を開いて水道水を給水するとともに、給湯弁４０を開い
て給湯機３９から給湯し、水道水と混合して水槽１に給水される。給水経路１１を流れる混合水ロの温度は給水温度検知手段４１で検知する。給水温度検知手段４１は、サーミスタ等で構成し、給水経路１１に設けて水槽１に流入する混合水ロの温度を検知する。
【００９６】
制御手段３５は、給水温度検知手段４１の出力から、混合水ロの温度が設定された温度の洗濯水となるように、給水弁１０と給湯弁４０を制御する。また、水槽１内に溜まった洗濯水の温度を水温検知手段１５で検知し、給水温度検知手段４１の出力に優先して、水槽１内の洗濯水の温度が設定温度となるように給水弁１０と給湯弁４０を制御する。
【００９７】
水槽１内に溜められる洗濯水の温度は、上記以外に、給湯機３９により設定温度に加熱して給湯するようにしてもよく、設定温度が高い場合は、洗濯水加熱ヒータ１４を併用してもよい。また、すすぎ工程でも給湯機３９から給湯し、温水ですすぎを行うようにしてもよい。
【００９８】
クランクケースヒータ３０は、乾燥運転の開始前、すなわち、乾燥工程で圧縮機２５を駆動する前の脱水工程、または、中間脱水工程前の洗い工程、または、脱水工程前のすすぎ工程で通電し、圧縮機２５を洗濯水の設定温度まで加熱する。
【００９９】
これにより、所定量の洗濯水の給水が完了すると洗濯を開始することができ、給湯機等で効率よく加熱された温水で迅速に洗濯することができる。また、中間脱水工程でドラム４の高速回転によって生じる気流が、温水により加熱されて風路１９を流れ、吸熱器２２や放熱器２３を加熱した場合でも、乾燥工程以前に圧縮機２５が加熱されているため、ヒートポンプサイクル内、特に、吸熱器２２や放熱器２３内の冷媒が圧縮機２５内に流入することはなく、ヒートポンプサイクル内の冷媒を保持し、乾燥運転開始時の乾燥性能を向上させることができる。
【０１００】
なお、給湯機３９を利用した温水洗浄は、洗濯のみを行う場合でも可能である。
【０１０１】
（実施の形態５）
図１０は、本発明の第５の実施の形態における洗濯乾燥機の動作を示すタイムチャートである。本実施の形態の特徴は、洗い工程とすすぎ工程で、温水による洗浄とすすぎを行うとともに、すすぎ工程に続いて実行する脱水工程以前に圧縮機２５を加熱するようにしたものである。他の構成は実施の形態１、４と同じであり、同一の構成に同一の符号を付して、詳細な説明は実施の形態１、４のものを援用する。
【０１０２】
洗濯の開始時に、操作表示部３６の操作部３６ａで「洗濯乾燥コース」を選択し、操作部３６ａの温水洗浄ボタン３６ｄにより「温水洗浄」と「温水すすぎ」を選択し、給湯ボタン（図示せず）により「給湯」を選択し、洗濯水の温度（例えば、４０℃）を設定する。
【０１０３】
図１０に示すように、洗い工程とすすぎ工程の給水工程において、給湯機３９から所定の温度に加熱された洗濯水を水槽１に給水し、洗いとすすぎを行う。
【０１０４】
クランクケースヒータ３０は、乾燥運転の開始前、すなわち、乾燥工程で圧縮機２５を駆動する前の、すすぎ工程の排水工程から脱水工程にかけて通電し、圧縮機２５の温度を圧縮機温度検知手段３１により検知して、圧縮機２５を洗濯水の設定温度まで加熱する。
【０１０５】
これにより、中間脱水工程において、ドラム４の高速回転にともない、乾燥用空気を導入する風路１９に気流が生じる。温水洗浄で加熱された気流が風路１９を流れて吸熱器２２や放熱器２３を加熱し、冷媒の圧力が上昇して圧縮機２５に流入しても、圧縮機２５が
乾燥運転前の脱水工程で加熱されているため、圧縮機２５内の冷媒をヒートポンプサイクル内に戻すことができ、ヒートポンプサイクル内に冷媒を保持して、乾燥運転開始時の乾燥性能を向上させることができる。
【０１０６】
また、すすぎ工程に続いて実行する脱水工程において、ドラム４の高速回転にともない、すすぎ工程で給湯した温水により加熱された気流が風路１９を流れて吸熱器２２や放熱器２３を加熱し、冷媒の圧力が上昇しても、圧縮機２５が脱水工程で加熱されている。このため、ヒートポンプサイクル内の冷媒が圧縮機２５に流入するのを防止することができ、ヒートポンプサイクル内の冷媒を保持して、乾燥運転開始時の乾燥性能を向上させることができる。
【０１０７】
したがって、温水で洗いとすすぎを行った場合でも、ヒートポンプサイクル内の冷媒を保持することができ、温水による洗いで、洗浄効果が高められるのに加えて、温水によるすすぎで、水槽１およびドラム４等を加熱した状態で乾燥工程へ移行することができ、ヒートポンプ装置５０による乾燥運転開始時のエネルギロスが少なく、ヒートポンプサイクルを迅速に最適な状態に立ち上げて、乾燥運転開始時の乾燥性能を向上させることができる。
【０１０８】
（実施の形態６）
図１１は、本発明の第６の実施の形態における洗濯乾燥機の一部切欠要部構成図である。本実施の形態の特徴は、浴槽の風呂水を水槽１に給水するようにしたものである。他の構成は実施の形態１と同じであり、同一の構成に同一の符号を付して、詳細な説明は実施の形態１のものを援用する。
【０１０９】
洗濯の開始時に、操作表示部３６の操作部３６ａで「洗濯乾燥コース」を選択し、操作部３６ａの温水洗浄ボタン３６ｄにより「温水洗浄」を選択し、風呂水ボタン（図示せず）により「風呂水」を選択し、洗濯水の温度（例えば、４０℃）を設定する。
【０１１０】
図１１に示すように、水道管と接続されている給水経路１１にホース接続部４２を設け、このホース接続部４２に接続したホース４３の他方を浴槽４４内に投入する。ホース４３を介して浴槽４４内の風呂水を給水ポンプ（給水手段）４５により汲み上げる。給水ポンプ４５は、ホース接続部４２と連通する給水経路１１に設けている。
【０１１１】
制御手段３５は、「温水洗浄」および「風呂水」が設定されると給水ポンプ４５を駆動し、浴槽４４内の風呂水をホース４３および給水経路１１を介して水槽１に給水するようにしている。
【０１１２】
洗い工程において、給水ポンプ４５を駆動して浴槽４４内の風呂水を汲み上げ、水槽１に給水される。給水経路１１を流れる風呂水の温度は、給水温度検知手段４１により検知する。制御手段３５は、給水温度検知手段４１で検知した風呂水の温度が設定温度より低いときは、給水弁１０を閉じた状態とし、風呂水のみで水槽１内に所定量の洗濯水を溜めて、水槽１内の洗濯水加熱ヒータ１４に通電する。水槽１に溜められた洗濯水の温度を水温検知手段１５で検知し、設定温度に加熱する。
【０１１３】
また、制御手段３５は、給水温度検知手段４１で検知した風呂水の温度が設定温度より高いときは、給水弁１０を開いて水道水を給水し、風呂水と水道水との混合水ハの温度が設定された温度の洗濯水となるように、給水弁１０を制御する。水槽１内に溜まった洗濯水の温度を水温検知手段１５で検知し、給水温度検知手段４１の出力に優先して、水槽１内の洗濯水の温度が設定温度となるように給水弁１０を制御する。
【０１１４】
クランクケースヒータ３０は、乾燥運転の開始前、すなわち、乾燥工程で圧縮機２５を駆動する前の脱水工程、または、中間脱水工程前の洗い工程、または、脱水工程前のすすぎ工程で通電し、圧縮機２５を洗濯水の設定温度まで加熱する。
【０１１５】
これにより、風呂の残り水を有効に利用することができるとともに、余熱を有した風呂水を少ないエネルギで所定の温度に加熱することができる。また、中間脱水工程でドラム４の高速回転によって生じる気流が、温水洗浄により加熱されて風路１９を流れ、吸熱器２２や放熱器２３を加熱した場合でも、乾燥工程以前に圧縮機２５が加熱されているため、乾燥運転の開始時に、ヒートポンプサイクル内の冷媒を保持し、乾燥運転開始時の乾燥性能を向上させることができる。
【０１１６】
なお、風呂水を利用した温水洗浄は、洗濯のみを行う場合でも可能である。
【産業上の利用可能性】
【０１１７】
以上のように、本発明にかかる洗濯乾燥機は、洗濯時に温水洗浄を行った際の、乾燥運転開始時の乾燥性能を向上させることができるので、洗濯乾燥機として有用である。
【符号の説明】
【０１１８】
１  水槽
２  筐体
４  ドラム
１４  洗濯水加熱ヒータ（加熱手段）
１９  風路
２１  送風機
２２  吸熱器
２３  放熱器
２４  管路
２５  圧縮機
２６  ケーシング
３０  クランクケースヒータ（加熱手段）
３５  制御手段
３６ｄ  温水洗浄ボタン（温水洗浄設定手段）
４９  絞り手段
５０  ヒートポンプ装置
【図１】
2014042695.tif 000003
【図４】
2014042695.tif 000004
【図５】
2014042695.tif 000005
【図６】
2014042695.tif 000006
【図７】
2014042695.tif 000007
【図８】
2014042695.tif 000008
【図９】
2014042695.tif 000009
【図１０】
2014042695.tif 000010
【図１１】
2014042695.tif 000011
【図１２】
2014042695.tif 000012
【図２】
2014042695.tif 000013
【図３】
2014042695.tif 000014
【手続補正書】
【提出日】平成24年10月25日(2012.10.25)
【手続補正１】
【補正対象書類名】明細書
【補正対象項目名】全文
【補正方法】変更
【補正の内容】
【発明の詳細な説明】
【技術分野】
【０００１】
本発明は、衣類等の洗濯と乾燥が行える洗濯乾燥機に関するものである。
【背景技術】
【０００２】
従来、この種の洗濯乾燥機は、洗い終わった洗濯物を同一槽内で続けて乾燥させることができる。衣類の乾燥にはヒートポンプ装置が用いられている（例えば、特許文献１参照）。
【０００３】
図１２は、特許文献１に記載された従来の洗濯乾燥機のシステム系統図である。図１２に示すように、圧縮機５１、放熱器５２、絞り手段５３および吸熱器５４を冷媒が循環するように管路５５で連結し、ヒートポンプ装置５６を構成している。乾燥用空気が流れる風路５７は、乾燥用空気を加熱する放熱器５２と、乾燥させる衣類イ等の乾燥対象を入れるドラム５８と、乾燥用空気を冷却し除湿する吸熱器５４を乾燥用空気が循環するように設けられ、送風機５９によって風路５７に乾燥用空気を送風する。矢印Ａは風路５７を流れる乾燥用空気の流れ方向を示し、矢印Ｂは管路５５を流れる冷媒の流れ方向を示している。
【０００４】
乾燥用空気は、放熱器５２で加熱され、温風となってドラム５８内に導入される。ドラム５８内で衣類イと接触した乾燥用空気は、衣類イから水分を奪って衣類を乾燥させる。乾燥用空気は、蒸発のための熱量として顕熱が与えられるため温度が低下するが、衣類イから放出されたほぼ同等の潜熱を有する水蒸気を含んで高湿となる。衣類イと接触する前後の乾燥用空気のエンタルピはほぼ一定である。高湿となった乾燥用空気は、吸熱器５４で冷却され、潜熱を奪われ結露して除湿される。除湿されて絶対温度が低下した乾燥用空気は、再び放熱器５２で加熱される。
【０００５】
一方、ヒートポンプサイクルは、圧縮機５１で圧縮されて気化した高温高圧のガス冷媒が、放熱器５２で乾燥用空気に熱を奪われて凝縮し液化する。放熱器５２を出た高圧の液冷媒は、絞り手段５３で減圧され、低温低圧の液冷媒となって吸熱器５４に入り、乾燥用空気から熱を奪って気化し、ガス冷媒となって圧縮機５１に戻る。
【０００６】
また、洗濯時の洗浄効果を高めるために、洗濯水を加熱し温水で洗濯することが知られている。洗濯時に温水洗浄が設定された場合、所定の温度（例えば、４０〜５０℃）に加熱された洗濯水でドラムおよび水槽内の温度が上昇する。洗濯乾燥機では、乾燥運転前に加熱された温水による洗い工程に続いて、洗い工程で使用した洗濯水の排水後に、衣類等の洗濯物に含まれる汚れや洗剤等を絞り出すための中間脱水工程が実行され、ドラムを高速（例えば、９００ｒｐｍ）で回転させる。
【先行技術文献】
【特許文献】
【０００７】
【特許文献１】特開２００５―５２５３３号公報
【発明の概要】
【発明が解決しようとする課題】
【０００８】
ドラムが高速で回転すると、水槽内で風が発生する。乾燥運転時に乾燥用空気を水槽内へ送風する風路が水槽と連通するように接続されており、この風路に加熱された風が流れて、風路に配設されている吸熱器や放熱器が加熱される。
【０００９】
洗濯運転時は、ヒートポンプ装置が停止しており、圧縮機の外部で管路内に滞留するヒートポンプサイクル内の冷媒は、吸熱器や放熱器で加熱されて圧力が上昇し、常温の圧縮機に流入する。
【００１０】
したがって、圧縮機の停止時に、圧縮機内の冷媒が潤滑油に溶け込むのに加えて、温水洗浄を行うことによって乾燥運転前の停止中の圧縮機に冷媒が流入し、乾燥運転の開始時にヒートポンプサイクル内の冷媒量が不足して、乾燥運転の開始時に良好な乾燥性能が得られないという課題があった。
【００１１】
本発明は、前記従来の課題を解決するもので、洗濯時に温水洗浄を行った際の、乾燥運転開始時の乾燥性能を向上させた洗濯乾燥機を提供することを目的とする。
【課題を解決するための手段】
【００１２】
前記従来の課題を解決するために、本発明の洗濯乾燥機は、圧縮機と放熱器と絞り手段と吸熱器とを冷媒が循環するように管路で連結したヒートポンプ装置と、ドラムに乾燥用空気を導入する風路と、前記風路に送風する送風機と、前記圧縮機を加熱する加熱手段と、加熱された温水による洗濯を設定する温水洗浄設定手段と、洗濯運転および乾燥運転を制御する制御手段とを備え、前記制御手段は、前記温水洗浄設定手段により温水洗浄が設定されると、乾燥運転の開始前に前記加熱手段に通電し前記圧縮機を加熱するようにしたものである。
【００１３】
これによって、洗濯時に温水で洗浄を行った場合でも、ヒートポンプサイクル内の冷媒を保持することができ、ヒートポンプサイクルを迅速に最適な状態に立ち上げて、乾燥運転開始時の乾燥性能を向上させることができる。
【発明の効果】
【００１４】
本発明の洗濯乾燥機は、洗濯時に温水洗浄を行った際の、乾燥運転開始時の乾燥性能を向上させることができる。
【図面の簡単な説明】
【００１５】
【図１】本発明の実施の形態１における洗濯乾燥機の一部切欠構成図
【図２】同洗濯乾燥機のシステム系統図
【図３】同洗濯乾燥機のヒートポンプ装置の構成図
【図４】同洗濯乾燥機のヒートポンプ装置の圧縮機の要部断面図
【図５】同洗濯乾燥機のブロック構成図
【図６】同洗濯乾燥機の動作を示すタイムチャート
【図７】本発明の実施の形態２における洗濯乾燥機の動作を示すタイムチャート
【図８】本発明の実施の形態３における洗濯乾燥機の動作を示すタイムチャート
【図９】本発明の実施の形態４における洗濯乾燥機の一部切欠要部構成図
【図１０】本発明の実施の形態５における洗濯乾燥機の動作を示すタイムチャート
【図１１】本発明の実施の形態６における洗濯乾燥機の一部切欠要部構成図
【図１２】従来の洗濯乾燥機のシステム系統図
【発明を実施するための形態】
【００１６】
本発明の洗濯乾燥機は、筐体内に弾性支持した水槽と、前記水槽内に回転可能に設けたドラムと、圧縮機と放熱器と絞り手段と吸熱器とを冷媒が循環するように管路で連結したヒートポンプ装置と、前記ドラムに乾燥用空気を導入する風路と、前記風路に送風する送風機と、前記圧縮機を加熱する加熱手段と、加熱された温水による洗濯を設定する温水洗浄設定手段と、洗濯運転および乾燥運転を制御する制御手段とを備える。前記制御手段は、前記温水洗浄設定手段により温水洗浄が設定されると、乾燥運転の開始前に前記加熱手段に通電し前記圧縮機を加熱するようにしたものである。
【００１７】
これにより、洗濯時に温水で洗浄を行った場合でも、冷媒をヒートポンプサイクル内に適正に保持することができ、ヒートポンプサイクルを迅速に最適な状態に立ち上げて、乾燥運転開始時の乾燥性能を向上させることができる。
【００１８】
すなわち、加熱された洗濯水による洗い工程で水槽内の温度が上昇し、洗い工程に続いて実行される中間脱水工程でのドラムの高速回転により、水槽内の加熱された空気が風路を流れ、風路に配設されている吸熱器および放熱器が加熱され、冷媒の圧力が上昇する。しかしながら、乾燥運転前に圧縮機が加熱されているため、中間脱水工程で冷媒が圧縮機に流入した場合でも、乾燥運転が開始されるまでにヒートポンプサイクル内に戻すことができ、乾燥運転の開始時に、ヒートポンプサイクル内の冷媒を保持し、乾燥運転開始時の乾燥性能を向上させることができる。
【００１９】
また、本発明の制御手段は、洗濯運転において、洗い、すすぎ、脱水の各工程を逐次制御し、前記洗い工程の中間脱水工程以前に圧縮機を加熱するようにしてもよい。
【００２０】
これにより、洗濯時に温水で洗浄を行った場合でも、中間脱水工程以前に圧縮機が加熱されているため、ヒートポンプサイクル内の冷媒が圧縮機に流入するのを防止することができ、乾燥運転の開始時に、ヒートポンプサイクル内の冷媒を保持し、乾燥運転開始時の乾燥性能を向上させることができる。
【００２１】
また、本発明の制御手段は、洗濯運転において、洗い、すすぎ、脱水の各工程を逐次制御し、前記すすぎ工程に続いて実行する脱水工程以前に圧縮機を加熱するようにしてもよい。
【００２２】
これにより、洗濯時に温水で洗浄を行った場合でも、脱水工程以前に圧縮機が加熱されているため、中間脱水工程で圧縮機に流入した冷媒を乾燥運転が開始されるまでにヒートポンプサイクル内に戻すことができるとともに、脱水工程で冷媒が圧縮機に流入するのを防止することができ、乾燥運転の開始時に、ヒートポンプサイクル内の冷媒を保持し、乾燥運転開始時の乾燥性能を向上させることができる。
【００２３】
また、本発明の制御手段は、洗い工程又はすすぎ工程又はその両方の工程で温水洗浄の設定を可能にしてもよい。
【００２４】
これにより、温水による洗いで、洗浄効果が高められるのに加えて、温水によるすすぎで、水槽およびドラム等を加熱した状態で乾燥工程へ移行することができ、ヒートポンプ装置による乾燥運転開始時のエネルギロスが少なく、ヒートポンプサイクルを迅速に最適な状態に立ち上げて、乾燥運転開始時の乾燥性能を向上させることができる。
【００２５】
また、本発明の洗濯乾燥機は、洗濯水を加熱する加熱手段を設け、制御手段は、温水洗浄が設定されると、前記加熱手段に通電し水槽内の洗濯水を所定の温度に加熱するようにしたことにより、給水された所定量の洗濯水を水槽内で効率よく、かつ、効果的に加熱することができる。
【００２６】
また、本発明の洗濯乾燥機は、加熱された水を給水する給湯手段を接続可能に設け、制御手段は、温水洗浄が設定されると、前記給湯手段により所定の温度に加熱された洗濯水を水槽に給水するようにしてもよい。
【００２７】
これにより、所定量の洗濯水の給水が完了すると洗濯を開始することができ、給湯機等で効率よく加熱された温水で迅速に洗濯することができる。
【００２８】
また、本発明の洗濯乾燥機は、風呂水を給水する給水手段を設け、制御手段は、温水洗浄が設定されると、前記給水手段を駆動し風呂水を水槽に給水するようにしてもよい。
【００２９】
これにより、風呂の残り水を有効に利用することができるとともに、余熱を有した風呂水を少ないエネルギで所定の温度に加熱することができる。
【００３０】
以下、本発明の実施の形態について、図面を参照しながら説明する。なお、この実施の形態によって本発明が限定されるものではない。
【００３１】
（実施の形態１）
図１は、本発明の第１の実施の形態における洗濯乾燥機の一部切欠構成図、図２は、同システム系統図、図３は、同ヒートポンプ装置の構成図、図４は、同ヒートポンプ装置の圧縮機の要部断面図、図５は、ブロック構成図、図６は、同洗濯乾燥機の動作を示すタイムチャートである。
【００３２】
図１〜図６において、水槽１は、筐体２内に複数のサスペンション機構３により弾性的に支持されている。ドラム４は、正面側に衣類イ等の洗濯物を出し入れする投入口（図示せず）を有し、有底筒状に構成して水槽１内に配設されている。ドラム４は、回転軸４ａを中心として回転可能に設けられ、衣類イ等の洗濯物を収容する。
【００３３】
ドラム４の周側壁には、全周に亘って多数の孔５を設け、ドラム４の周側壁の内方の複数個所に、洗濯物をドラム４の回転方向へ持ち上げるためのバッフル６を備えている。水槽１とドラム４と回転軸４ａは、水平に対して角度θ（例えば、１０〜２０°）で前上がりに傾けて設けられている。
【００３４】
水槽１の後面側の外部には、ドラム４を回転駆動するモータ７が設けてあり、ドラム４を正逆回転させるようになっている。モータ７は、ブラシレス直流モータ等で構成され、インバータ制御によって回転速度が自在に変化できるようにしている。
【００３５】
筐体２の前面には、投入口を開閉する扉８が設けられている。ドラム４の投入口と対向
する水槽１の前面開口部（図示せず）は、伸縮自在な可撓性のパッキン９によって筐体２とシール結合されている。扉８は、外からドラム４の内部が見えるように透明の窓が設けられている。
【００３６】
扉８を閉じると、水槽１の前面開口部に設けられたパッキン９が扉８の内面と接触し、水槽１内は水密、気密空間となり、洗濯、すすぎ、脱水、乾燥の各工程を実行する際に、水や空気が外部に漏れないようにしている。
【００３７】
筐体２内には、水槽１内への水道水の給水を制御する給水弁１０が設けられている。給水弁１０には、洗剤ケース（図示せず）を介して水槽１に連通する給水経路１１が接続されている。給水経路１１は水道管に接続してあり、給水弁１０を開閉することにより、水槽１内への水道水の給水と停止を行うことができる。
【００３８】
また、水槽１の後部下方には、水槽１内の洗濯水を排水する排水弁１２が設けられている。排水弁１２を開閉することにより、排水経路１３を通して水槽１内の洗濯水の排水と停止を行うことができる。
【００３９】
水槽１内の底部の後方に、洗濯水を加熱する洗濯水加熱ヒータ（加熱手段）１４を設けている。洗濯水加熱ヒータ１４は、シーズヒータを略Ｕ字状に折り曲げて形成され、回転軸４ａが延びている方向へ水槽１の底面に沿うように取り付けられている。
【００４０】
洗濯水加熱ヒータ１４と水槽１の底面との間に空間が設けてあり、水槽１内に洗濯水が溜められると、その水面下に位置し、洗濯水に浸かって洗濯水を加熱する。洗濯水加熱ヒータ１４で加熱される洗濯水の温度は、水槽１内の底部に取り付けたサーミスタ等で構成している水温検知手段１５で検知する。
【００４１】
水槽１内に溜められる洗濯水の水量は、水位検知手段１６で検知する。水位検知手段１６は、内部にダイアフラムを有し、圧力が加わることで変形するダイアフラムの変形量から圧力を検知する圧力センサ等で構成し、水槽１に給水された洗濯水の水位を検知する。
【００４２】
水槽１の上方前部の周側壁に排気口１７を設け、水槽１の背面部に送風口１８を設けている。排気口１７と送風口１８は、水槽１の外部上方の前面側から後面側に向かって延びている風路１９で連通接続している。
【００４３】
風路１９には、乾燥用空気とともに風路１９を通過するリントを捕捉するフィルタ２０と、乾燥用空気を水槽１を介してドラム４内に送風する送風機２１と、風路１９を流れる乾燥用空気を冷却除湿する吸熱器２２と、吸熱器２２で除湿した乾燥用空気を加熱する放熱器２３を設けている。
【００４４】
吸熱器２２および放熱器２３は、冷媒が流れる管路２４により圧縮機２５と連結されている。ヒートポンプ装置５０は、冷媒（例えば、Ｒ１３４ａ）を圧縮する圧縮機２５と、圧縮された高温高圧の冷媒の熱を放熱する放熱器２３と、高圧の冷媒の圧力を減圧するためのキャピラリーチューブまたは膨張弁等からなる絞り手段４９と、減圧されて低圧となった冷媒が周囲から熱を奪う吸熱器２２を冷媒が循環するように管路２４で連結している。
【００４５】
吸熱器２２および放熱器２３は、フィンチューブ熱交換器で構成されている。吸熱器２２と放熱器２３は、各々の端部をエンドプレート２３ａで連結してあり、吸熱器２２と放熱器２３の間に空間２３ｂを設けている。
【００４６】
冷媒が流れる管路２４は、例えば銅管で形成され、乾燥風の流路を形成するために所定間隔で平行に並べられた複数のフィンに管路２４を貫通させて構成している。フィンは、例えば打ち抜き加工された厚み０．０８〜０．２ｍｍのアルミニウム製の平板で形成され、フィンピッチは、例えば約１．２ｍｍとなるように構成している。
【００４７】
圧縮機２５は、縦型円筒状のケーシング２６内に、冷媒を圧縮する圧縮機構２７と、圧縮機構２７を駆動する圧縮機モータ２８を内蔵している。圧縮機モータ２８は、直流モータで構成し、回転速度を自在に変化させることができるようにしてあり、ケーシング２６の内面に固定したステータ２８ａと、ステータ２８ａの内側に回転自在に設けたロータ２８ｂを有し、ロータ２８ｂの回転中心に上下方向に延びるクランク軸２８ｃが取り付けられている。
【００４８】
圧縮機構２７は、ロータリ型であり、圧縮機モータ２８の下方に設けられ、クランク軸２８ｃを介して圧縮機モータ２８と連結している。クランク軸２８ｃに偏心固定したピストン２７ａがシリンダ２７ｂ内で偏心回転し、管路２４の吸入口２４ａから吸入する冷媒を圧縮する。
【００４９】
圧縮機２５は、圧縮機モータ２８により駆動され、冷媒は、圧縮機構２７で加圧されて高温高圧のガス冷媒となり、管路２４の吐出口２４ｂから吐出して放熱器２３へと送られる。
【００５０】
放熱器２３では、送風機２１によって風路１９に送風される乾燥用空気により冷却されて凝縮し、低温高圧の液冷媒になる。この液冷媒は絞り手段４９で減圧され、吸熱器２２へ送られる。吸熱器２２では、ドラム４内で衣類イ等の洗濯物と接触し、湿った高温の空気により加熱されて蒸発し、低温低圧のガス冷媒となって再び圧縮機２５に吸入されて加圧される。
【００５１】
ケーシング２６の底部に潤滑油２９が溜められている。圧縮機２５の下部には、圧縮機２５を加熱するクランクケースヒータ（加熱手段）３０が設けられている。クランクケースヒータ３０は、圧縮機２５のケーシング２６を取り巻くように取り付けている。なお、クランクケースヒータ３０は、圧縮機２５の温度を迅速に上昇させるために、圧縮機２５の上部から下部にかけて加熱するように取り付けてもよい。
【００５２】
矢印Ａは、風路１９を流れる乾燥用空気の流れ方向を示し、矢印Ｂは、管路２４を流れる冷媒の流れ方向を示している。
【００５３】
圧縮機２５のケーシング２６の外周部に圧縮機温度検知手段３１を設けている。圧縮機温度検知手段３１は、サーミスタ等で構成し、圧縮機２５の温度を検知する。圧縮機２５と放熱器２３の間の管路２４に、冷媒温度検知手段３２を設けている。冷媒温度検知手段３２は、サーミスタ等で構成し、圧縮機２５から吐出した冷媒の温度を検知する。
【００５４】
風路１９を流れる乾燥用空気の温度を検知する第１温度検知手段３３および第２温度検知手段３４を設けている。第１温度検知手段３３は、サーミスタ等で構成し、送風口１８からドラム４内へ流入する乾燥風の温度を検知する。第２温度検知手段３４は、サーミスタ等で構成し、排気口１７からドラム４外へ流出する乾燥風の温度を検知する。第１温度検知手段３３および第２温度検知手段３４の出力から、ドラム４内の衣類イ等の洗濯物の乾燥状態を検知する。
【００５５】
洗濯運転および乾燥運転を制御する制御手段３５は、筐体２内の前面上部に設けられており、操作表示部３６が筐体２の前面に取り付けられている。操作表示部３６には、運転
の手動操作を行う操作部３６ａと、設定内容および運転状況等を表示する表示部３６ｂが設けられている。
【００５６】
操作部３６ａには、電源スイッチ３６ｃのほか、加熱された洗濯水で洗う温水洗浄ボタン（温水洗浄設定手段）３６ｄと、その他の各種設定用ボタン（図示せず）等が設けられている。この操作部３６ａにより、洗濯、乾燥等の運転コースを任意に選択し、運転内容を設定することができる。
【００５７】
以上のように構成された洗濯乾燥機について、以下その動作、作用を説明する。洗濯運転は、洗い工程、中間脱水工程、すすぎ工程、脱水工程の順に実行され、脱水工程に続いて乾燥運転を実行することができる。
【００５８】
洗濯を行うときは、扉８を開いてドラム４内に衣類イ等の洗濯物を投入し、筐体２の前面上部に設けられた操作表示部３６の電源スイッチ３６ｃを入れ、各種設定用ボタンにより運転コースの選択や、必要に応じて各工程の時間等を入力し、運転を開始することにより、設定内容に基づいて、制御手段３５により洗濯から乾燥までを一連の動作として実行することができる。
【００５９】
まず、洗い工程は、ドラム４内に投入された衣類イ等の洗濯物の量を布量検知手段３７で検知する。布量検知手段３７は、ドラム４を回転させたときのモータ７の電流値等から検知することができる。布量検知手段３７で検知した洗濯物の量に応じて予め設定された量の水が給水される。水槽１内の水量を水位検知手段１６で検知し、設定量の水が給水されると給水弁１０を閉じる。
【００６０】
給水経路１１を通して水槽１内に水および洗剤が供給されると、モータ７によりドラム４を回転駆動し、撹拌動作による洗濯を開始する。ドラム４を所定の速度（例えば、５０ｒｐｍ）で回転させると、衣類イ等の洗濯物は、ドラム４の内周面に設けられたバッフル６によってドラム４の回転方向へ持ち上げられ、ドラム４内の上方から落下させることにより、叩き洗いによる洗濯を所定時間行う。
【００６１】
撹拌工程の後、排水弁１２を開いて水槽１内の洗濯水を排水し、ドラム４を高速（例えば、９００ｒｐｍ）で回転させて、衣類イ等の洗濯物に含まれる汚れや洗剤などを、水とともに脱水する中間脱水工程を行う。次に、給水弁１０を開いて水槽１内に設定量の新たな水を給水し、ドラム４を所定の速度（例えば、５０ｒｐｍ）で回転させて、すすぎ工程を所定時間行う。
【００６２】
すすぎ工程を所定回数行った後、水槽１内の洗濯水を排水し、ドラム４を高速回転（例えば、１５００ｒｐｍ）させて、洗濯物に含まれる水分や、残留する洗剤分を脱水する脱水工程を最後に行い、洗濯を終了する。
【００６３】
洗濯運転に続けて乾燥運転を行うときは、脱水工程の終了後に乾燥工程に移行する。乾燥工程は、ドラム４を所定の速度（例えば、５０ｒｐｍ）で回転させ、洗濯物をドラム４内で撹拌するとともに、送風機２１およびヒートポンプ装置５０を作動させ、ドラム４内への乾燥用空気の送風循環と、圧縮機２５による冷媒の圧縮が開始される。
【００６４】
ヒートポンプ装置５０は、圧縮機２５の圧縮機モータ２８が駆動し、圧縮機構２７により冷媒が圧縮され、この圧力により冷媒は圧縮機２５から吐出する。圧縮機２５から吐出した冷媒は、管路２４を流れて放熱器２３、絞り手段４９、吸熱器２２、圧縮機２５を循環する。圧縮された冷媒の熱は放熱器２３に流入することにより、放熱器２３内に配設された管路２４に設けられたフィンに接する空気に放熱されるので、風路１９を流れる乾燥
用空気が加熱される。
【００６５】
加熱された乾燥用空気は、送風口１８からドラム４内へ供給され、洗濯物から水分を奪って湿った空気となり、排気口１７から風路１９へ排出される。洗濯物の乾燥の進行にともなって、洗濯物から糸屑などのリントが発生する。排気口１７から排出された乾燥用空気はフィルタ２０を通過し、空気中に含まれているリントが捕捉される。
【００６６】
フィルタ２０でリントが除去された乾燥用空気は、絞り手段４９により減圧されて低圧となった冷媒が流れる吸熱器２２を通過する際に、顕熱と潜熱が奪われて除湿される。除湿されることにより生じた結露水は貯水部（図示せず）に滴下し、除湿されて乾いた乾燥用空気は、放熱器２３を通過して加熱される。除湿された結露水は、排水弁１２を通って機外へ排水される。
【００６７】
乾燥工程では、第１温度検知手段３３と第２温度検知手段３４とで、風路１９を流れる乾燥用空気の温度を検知する。ドラム４に流入する乾燥風の温度を第１温度検知手段３３で検知し、ドラム４から流出した乾燥風の温度を第２温度検知手段３４で検知する。これらの出力から、ドラム４内の洗濯物の乾燥度を検知し、所定の乾燥度を検知すると乾燥工程を終了する。
【００６８】
一方、ヒートポンプ装置５０は、圧縮機２５で圧縮されて気化した高温高圧のガス冷媒の熱が、放熱器２３を通過する乾燥用空気に奪われて凝縮し、絞り手段４９で減圧されて低温低圧の液冷媒となり、吸熱器２２で乾燥用空気から熱を奪って気化し、低温低圧のガス冷媒となって再び圧縮機２５に戻る。
【００６９】
圧縮機２５から吐出される冷媒の温度は、冷媒温度検知手段３２で検知され、冷媒の温度が所定の温度範囲（例えば、９０〜８５℃）内に維持されるように、圧縮機モータ２８の駆動を制御し、圧縮機２５の動作を安定させるとともに、安全で安定したヒートポンプサイクルを実現する。
【００７０】
次に、洗濯を温水で行い、続けて乾燥を行う場合について説明する。洗濯の開始時に、操作表示部３６の操作部３６ａで「洗濯乾燥コース」を選択し、操作部３６ａの温水洗浄ボタン３６ｄにより「温水洗浄」を選択し、洗濯水の温度（例えば、４０℃）を設定する。温水による洗濯は、汚れが落ちやすく洗浄力を高めることができ、水温が低いときの洗濯に有利である。
【００７１】
ドラム４に投入された洗濯物の量を布量検知手段３７で検知し、洗濯物の量に応じて設定された量の洗濯水が水槽１内に給水されると、水温検知手段１５で水槽１内に溜められた洗濯水の温度を検知する。制御手段３５は、設定された洗濯水の温度と、水温検知手段１５で検知した温度を比較して洗濯水加熱ヒータ１４の通電を制御し、洗濯水を設定温度に加熱する。
【００７２】
図６に示すように、洗濯水を加熱する洗濯水加熱ヒータ１４は、洗い工程において、水槽１内に洗濯水が給水され、洗濯水加熱ヒータ１４が洗濯水に水没すると通電を開始し、設定された温度に洗濯水を加熱する。一方、圧縮機２５の温度を圧縮機温度検知手段３１で検知し、圧縮機２５が洗濯水の設定温度になるようクランクケースヒータ３０の通電を制御し、圧縮機２５を加熱する。
【００７３】
加熱された洗濯水による洗い工程で水槽１内の温度が上昇した状態で、中間脱水工程が実行されると、ドラム４の高速回転で水槽１内の加熱された空気が風路１９を流れ、風路１９に配設されている吸熱器２２および放熱器２３が加熱される。ヒートポンプサイクル
内の吸熱器２２および放熱器２３が加熱されると、冷媒の圧力が上昇し、冷媒が圧縮機２５に流入する。
【００７４】
クランクケースヒータ３０は、乾燥運転の開始前、すなわち、乾燥工程で圧縮機２５を駆動する前の、すすぎ工程の排水工程から脱水工程で通電し、圧縮機２５の温度を圧縮機温度検知手段３１により検知して、圧縮機２５を洗濯水の設定温度まで加熱する。
【００７５】
これにより、加熱された洗濯水の熱で風路１９内の温度が上昇し、中間脱水工程で吸熱器２２および放熱器２３が加熱されて、ヒートポンプサイクル内の冷媒が圧縮機２５に流入した場合でも、圧縮機２５が乾燥運転の開始前に加熱されているため、圧縮機２５内に滞留した冷媒をヒートポンプサイクル内に戻すことができ、ヒートポンプサイクル内に冷媒を保持して、乾燥運転開始時の乾燥性能を向上させることができる。
【００７６】
以上のように、本実施の形態においては、筐体２内に弾性支持した水槽１と、水槽１内に回転可能に設けたドラム４と、圧縮機２５と放熱器２３と絞り手段４９と吸熱器２２とを冷媒が循環するように管路２４で連結したヒートポンプ装置５０と、ドラム４に乾燥用空気を導入する風路１９と、風路１９に送風する送風機２１と、圧縮機２５を加熱する加熱手段３０と、加熱された温水による洗濯を設定する温水洗浄設定手段としての温水洗浄ボタン３６ｄと、洗濯運転および乾燥運転を制御する制御手段３５とを備える。制御手段３５は、温水洗浄設定手段３６ｄにより温水洗浄が設定されると、乾燥運転の開始前に加熱手段３０に通電し圧縮機２５を加熱するようにしたものであり、温水で洗濯を行った場合でも、乾燥運転の開始時にヒートポンプサイクル内の冷媒を保持することができ、ヒートポンプサイクルを迅速に最適な状態に立ち上げて、乾燥運転開始時の乾燥性能を向上させることができる。
【００７７】
なお、温水洗浄時の洗濯水の温度は、洗濯物の種類や性質、および目的に応じて、最適な温度に設定することができる。
【００７８】
また、圧縮機２５を加熱する温度は、温水洗浄時の洗濯水の設定温度と必ずしも同じにする必要はなく、ヒートポンプサイクル内の冷媒の圧力がバランスし、保持されるように加熱されればよい。
【００７９】
（実施の形態２）
図７は、本発明の第２の実施の形態における洗濯乾燥機の動作を示すタイムチャートである。本実施の形態の特徴は、洗い工程後に実行する中間脱水工程以前に圧縮機２５を加熱するようにしたものである。他の構成は実施の形態１と同じであり、同一の構成に同一の符号を付して、詳細な説明は実施の形態１のものを援用する。
【００８０】
洗濯の開始時に、操作表示部３６の操作部３６ａで「洗濯乾燥コース」を選択し、操作部３６ａの温水洗浄ボタン３６ｄにより「温水洗浄」を選択し、洗濯水の温度（例えば、４０℃）を設定する。
【００８１】
図７に示すように、洗濯水を加熱する洗濯水加熱ヒータ１４は、洗い工程において、水槽１内に洗濯水が給水され、洗濯水加熱ヒータ１４が洗濯水に水没すると通電を開始し、設定された温度に洗濯水を加熱する。クランクケースヒータ３０は、中間脱水工程以前、すなわち、洗い工程の撹拌工程から排水工程の間で通電し、圧縮機２５を洗濯水の設定温度まで加熱する。
【００８２】
中間脱水工程は、ドラム４を回転させて脱水を行うため、ドラム４の回転に伴い、乾燥用空気を導入する風路１９に気流が生じる。温水洗浄で加熱された気流が風路１９を流れ
て吸熱器２２や放熱器２３を加熱した場合でも、中間脱水工程以前に圧縮機２５が加熱されているため、ヒートポンプサイクル内、特に、吸熱器２２や放熱器２３内の冷媒が圧縮機２５内に流入することがなく、ヒートポンプサイクル内の冷媒を保持し、乾燥運転開始時の乾燥性能を向上させることができる。
【００８３】
圧縮機２５は、ケーシング２６内に圧縮機構２７と圧縮機モータ２８を内蔵した密閉容器であり、冷めにくく、加熱された圧縮機２５は、乾燥運転の開始時まで所定の温度に維持することができる。
【００８４】
以上のように、中間脱水工程前に圧縮機２５を加熱し、ヒートポンプサイクル内の冷媒が圧縮機２５に流入するのを防止することができるため、冷媒を再加熱する必要がなく、クランクケースヒータ３０への入力は圧縮機２５を加熱する分だけでよく、消費電力量を低減することができる。
【００８５】
（実施の形態３）
図８は、本発明の第３の実施の形態における洗濯乾燥機の動作を示すタイムチャートである。本実施の形態の特徴は、すすぎ工程に続いて実行する脱水工程以前に圧縮機２５を加熱するようにしたものである。他の構成は実施の形態１と同じであり、同一の構成に同一の符号を付して、詳細な説明は実施の形態１のものを援用する。
【００８６】
洗濯の開始時に、操作表示部３６の操作部３６ａで「洗濯乾燥コース」を選択し、操作部３６ａの温水洗浄ボタン３６ｄにより「温水洗浄」を選択し、洗濯水の温度（例えば、４０℃）を設定する。
【００８７】
図８に示すように、洗濯水を加熱する洗濯水加熱ヒータ１４は、洗い工程において、水槽１内に洗濯水が給水され、洗濯水加熱ヒータ１４が洗濯水に水没すると通電を開始し、設定された温度に洗濯水を加熱する。クランクケースヒータ３０は、すすぎ工程に続いて実行する脱水工程以前、すなわち、すすぎ工程の撹拌工程から排水工程の間に通電し、圧縮機２５を洗濯水の設定温度まで加熱する。
【００８８】
したがって、中間脱水工程で、温水洗浄で加熱された気流が風路１９を流れて吸熱器２２や放熱器２３を加熱した場合でも、すすぎ工程に続いて実行する脱水工程以前に圧縮機２５が加熱されているため、中間脱水工程で圧縮機２５に流入した冷媒を、乾燥運転の開始前にヒートポンプサイクル内に戻すことができる。
【００８９】
また、圧縮機２５が乾燥運転の開始前に加熱されているため、すすぎ工程に続いて実行する脱水工程で、ヒートポンプサイクル内の冷媒が圧縮機２５に流入することがなく、ヒートポンプサイクル内の冷媒を保持し、乾燥運転開始時の乾燥性能を向上させることができる。
【００９０】
（実施の形態４）
図９は、本発明の第４の実施の形態における洗濯乾燥機の一部切欠要部構成図である。本実施の形態の特徴は、加熱された水を給水する給湯機３９を接続可能に設けたものである。他の構成は実施の形態１と同じであり、同一の構成に同一の符号を付して、詳細な説明は実施の形態１のものを援用する。
【００９１】
洗濯の開始時に、操作表示部３６の操作部３６ａで「洗濯乾燥コース」を選択し、操作部３６ａの温水洗浄ボタン３６ｄにより「温水洗浄」を選択し、給湯ボタン（図示せず）により「給湯」を選択し、洗濯水の温度（例えば、４０℃）を設定する。
【００９２】
図９に示すように、水道と接続されている給水経路１１に給湯機接続部３８を設け、給湯機（給湯手段）３９を接続可能に構成するとともに、給湯機３９からの給湯と停止を行う給湯弁４０を設けている。制御手段３５は、「温水洗浄」および「給湯」が設定されると、給湯機３９から所定の温度に加熱された洗濯水を水槽１に給水するようにしている。
【００９３】
洗い工程において、給水弁１０を開いて水道水を給水するとともに、給湯弁４０を開いて給湯機３９から給湯し、水道水と混合して水槽１に給水される。給水経路１１を流れる混合水ロの温度は給水温度検知手段４１で検知する。給水温度検知手段４１は、サーミスタ等で構成し、給水経路１１に設けて水槽１に流入する混合水ロの温度を検知する。
【００９４】
制御手段３５は、給水温度検知手段４１の出力から、混合水ロの温度が設定された温度の洗濯水となるように、給水弁１０と給湯弁４０を制御する。また、水槽１内に溜まった洗濯水の温度を水温検知手段１５で検知し、給水温度検知手段４１の出力に優先して、水槽１内の洗濯水の温度が設定温度となるように給水弁１０と給湯弁４０を制御する。
【００９５】
水槽１内に溜められる洗濯水の温度は、上記以外に、給湯機３９により設定温度に加熱して給湯するようにしてもよく、設定温度が高い場合は、洗濯水加熱ヒータ１４を併用してもよい。また、すすぎ工程でも給湯機３９から給湯し、温水ですすぎを行うようにしてもよい。
【００９６】
クランクケースヒータ３０は、乾燥運転の開始前、すなわち、乾燥工程で圧縮機２５を駆動する前の脱水工程、または、中間脱水工程前の洗い工程、または、脱水工程前のすすぎ工程で通電し、圧縮機２５を洗濯水の設定温度まで加熱する。
【００９７】
これにより、所定量の洗濯水の給水が完了すると洗濯を開始することができ、給湯機等で効率よく加熱された温水で迅速に洗濯することができる。また、中間脱水工程でドラム４の高速回転によって生じる気流が、温水により加熱されて風路１９を流れ、吸熱器２２や放熱器２３を加熱した場合でも、乾燥工程以前に圧縮機２５が加熱されているため、ヒートポンプサイクル内、特に、吸熱器２２や放熱器２３内の冷媒が圧縮機２５内に流入することはなく、ヒートポンプサイクル内の冷媒を保持し、乾燥運転開始時の乾燥性能を向上させることができる。
【００９８】
なお、給湯機３９を利用した温水洗浄は、洗濯のみを行う場合でも可能である。
【００９９】
（実施の形態５）
図１０は、本発明の第５の実施の形態における洗濯乾燥機の動作を示すタイムチャートである。本実施の形態の特徴は、洗い工程とすすぎ工程で、温水による洗浄とすすぎを行うとともに、すすぎ工程に続いて実行する脱水工程以前に圧縮機２５を加熱するようにしたものである。他の構成は実施の形態１、４と同じであり、同一の構成に同一の符号を付して、詳細な説明は実施の形態１、４のものを援用する。
【０１００】
洗濯の開始時に、操作表示部３６の操作部３６ａで「洗濯乾燥コース」を選択し、操作部３６ａの温水洗浄ボタン３６ｄにより「温水洗浄」と「温水すすぎ」を選択し、給湯ボタン（図示せず）により「給湯」を選択し、洗濯水の温度（例えば、４０℃）を設定する。
【０１０１】
図１０に示すように、洗い工程とすすぎ工程の給水工程において、給湯機３９から所定の温度に加熱された洗濯水を水槽１に給水し、洗いとすすぎを行う。
【０１０２】
クランクケースヒータ３０は、乾燥運転の開始前、すなわち、乾燥工程で圧縮機２５を
駆動する前の、すすぎ工程の排水工程から脱水工程にかけて通電し、圧縮機２５の温度を圧縮機温度検知手段３１により検知して、圧縮機２５を洗濯水の設定温度まで加熱する。
【０１０３】
これにより、中間脱水工程において、ドラム４の高速回転にともない、乾燥用空気を導入する風路１９に気流が生じる。温水洗浄で加熱された気流が風路１９を流れて吸熱器２２や放熱器２３を加熱し、冷媒の圧力が上昇して圧縮機２５に流入しても、圧縮機２５が乾燥運転前の脱水工程で加熱されているため、圧縮機２５内の冷媒をヒートポンプサイクル内に戻すことができ、ヒートポンプサイクル内に冷媒を保持して、乾燥運転開始時の乾燥性能を向上させることができる。
【０１０４】
また、すすぎ工程に続いて実行する脱水工程において、ドラム４の高速回転にともない、すすぎ工程で給湯した温水により加熱された気流が風路１９を流れて吸熱器２２や放熱器２３を加熱し、冷媒の圧力が上昇しても、圧縮機２５が脱水工程で加熱されている。このため、ヒートポンプサイクル内の冷媒が圧縮機２５に流入するのを防止することができ、ヒートポンプサイクル内の冷媒を保持して、乾燥運転開始時の乾燥性能を向上させることができる。
【０１０５】
したがって、温水で洗いとすすぎを行った場合でも、ヒートポンプサイクル内の冷媒を保持することができ、温水による洗いで、洗浄効果が高められるのに加えて、温水によるすすぎで、水槽１およびドラム４等を加熱した状態で乾燥工程へ移行することができ、ヒートポンプ装置５０による乾燥運転開始時のエネルギロスが少なく、ヒートポンプサイクルを迅速に最適な状態に立ち上げて、乾燥運転開始時の乾燥性能を向上させることができる。
【０１０６】
（実施の形態６）
図１１は、本発明の第６の実施の形態における洗濯乾燥機の一部切欠要部構成図である。本実施の形態の特徴は、浴槽の風呂水を水槽１に給水するようにしたものである。他の構成は実施の形態１と同じであり、同一の構成に同一の符号を付して、詳細な説明は実施の形態１のものを援用する。
【０１０７】
洗濯の開始時に、操作表示部３６の操作部３６ａで「洗濯乾燥コース」を選択し、操作部３６ａの温水洗浄ボタン３６ｄにより「温水洗浄」を選択し、風呂水ボタン（図示せず）により「風呂水」を選択し、洗濯水の温度（例えば、４０℃）を設定する。
【０１０８】
図１１に示すように、水道管と接続されている給水経路１１にホース接続部４２を設け、このホース接続部４２に接続したホース４３の他方を浴槽４４内に投入する。ホース４３を介して浴槽４４内の風呂水を給水ポンプ（給水手段）４５により汲み上げる。給水ポンプ４５は、ホース接続部４２と連通する給水経路１１に設けている。
【０１０９】
制御手段３５は、「温水洗浄」および「風呂水」が設定されると給水ポンプ４５を駆動し、浴槽４４内の風呂水をホース４３および給水経路１１を介して水槽１に給水するようにしている。
【０１１０】
洗い工程において、給水ポンプ４５を駆動して浴槽４４内の風呂水を汲み上げ、水槽１に給水される。給水経路１１を流れる風呂水の温度は、給水温度検知手段４１により検知する。制御手段３５は、給水温度検知手段４１で検知した風呂水の温度が設定温度より低いときは、給水弁１０を閉じた状態とし、風呂水のみで水槽１内に所定量の洗濯水を溜めて、水槽１内の洗濯水加熱ヒータ１４に通電する。水槽１に溜められた洗濯水の温度を水温検知手段１５で検知し、設定温度に加熱する。
【０１１１】
また、制御手段３５は、給水温度検知手段４１で検知した風呂水の温度が設定温度より高いときは、給水弁１０を開いて水道水を給水し、風呂水と水道水との混合水ハの温度が設定された温度の洗濯水となるように、給水弁１０を制御する。水槽１内に溜まった洗濯水の温度を水温検知手段１５で検知し、給水温度検知手段４１の出力に優先して、水槽１内の洗濯水の温度が設定温度となるように給水弁１０を制御する。
【０１１２】
クランクケースヒータ３０は、乾燥運転の開始前、すなわち、乾燥工程で圧縮機２５を駆動する前の脱水工程、または、中間脱水工程前の洗い工程、または、脱水工程前のすすぎ工程で通電し、圧縮機２５を洗濯水の設定温度まで加熱する。
【０１１３】
これにより、風呂の残り水を有効に利用することができるとともに、余熱を有した風呂水を少ないエネルギで所定の温度に加熱することができる。また、中間脱水工程でドラム４の高速回転によって生じる気流が、温水洗浄により加熱されて風路１９を流れ、吸熱器２２や放熱器２３を加熱した場合でも、乾燥工程以前に圧縮機２５が加熱されているため、乾燥運転の開始時に、ヒートポンプサイクル内の冷媒を保持し、乾燥運転開始時の乾燥性能を向上させることができる。
【０１１４】
なお、風呂水を利用した温水洗浄は、洗濯のみを行う場合でも可能である。
【産業上の利用可能性】
【０１１５】
以上のように、本発明にかかる洗濯乾燥機は、洗濯時に温水洗浄を行った際の、乾燥運転開始時の乾燥性能を向上させることができるので、洗濯乾燥機として有用である。
【符号の説明】
【０１１６】
１  水槽
２  筐体
４  ドラム
１４  洗濯水加熱ヒータ（加熱手段）
１９  風路
２１  送風機
２２  吸熱器
２３  放熱器
２４  管路
２５  圧縮機
２６  ケーシング
３０  クランクケースヒータ（加熱手段）
３５  制御手段
３６ｄ  温水洗浄ボタン（温水洗浄設定手段）
４９  絞り手段
５０  ヒートポンプ装置